(57)【要約】  本発明は、風力発電装置用のブレードに着脱が容易であり、耐雷性、耐候性、耐雪氷性を付与できる風力発電装置用のブレード保護方法を提供することを目的とする。また、本発明は、着脱が容易であり、耐雷性、耐候性、耐雪氷性を有する風力発電装置用のブレードおよび風力発電装置を提供することを目的とする。風力発電装置用のブレードと、該ブレードを被覆する耐候性熱収縮フィルムと、該ブレード外表面と該フィルムとの間に導電性のある導電層とを備え、熱収縮フィルムを収縮付着することによって、該ブレードと該導電層とが一体的に被覆される。
2014033832.tif 000002
【特許請求の範囲】
【請求項１】
風力発電装置用のブレードと、該ブレードを被覆する耐候性を持つ熱収縮フィルムと、該ブレード外表面と該熱収縮フィルムとの間に設けた少なくとも１層の機能性層とを備え、
前記熱収縮フィルムを加熱して前記ブレードに収縮付着することによって、前記ブレードと前記機能性層とを前記熱収縮フィルムにより一体的に被覆することを特徴とする風力発電装置用のブレード保護方法。
【請求項２】
請求項１に記載の風力発電装置用のブレード保護方法において、前記機能性層が導電層からなることを特徴とする風力発電装置用のブレード保護方法。
【請求項３】
請求項２に記載の風力発電装置用のブレード保護方法において、前記導電層が金属メッシュ層からなることを特徴とする風力発電装置用のブレード保護方法。
【請求項４】
請求項２に記載の風力発電装置用のブレード保護方法において、前記導電層が発熱線を有することを特徴とする風力発電装置用のブレード保護方法。
【請求項５】
請求項２に記載の風力発電装置用のブレード保護方法において、前記導電層が配線薄膜からなることを特徴とする風力発電装置用のブレード保護方法。
【請求項６】
請求項１乃至５のいずれかに記載の風力発電装置用のブレード保護方法において、前記熱収縮フィルムに該熱収縮フィルムを部分的に前記ブレードから剥離するミシン目を任意の間隔で設けたことを特徴とする風力発電装置用のブレード保護方法。
【請求項７】
請求項１乃至５のいずれかに記載の風力発電装置用のブレード保護方法において、前記熱収縮フィルムは少なくとも２層からなることを特徴とする風力発電装置用のブレード保護方法。
【請求項８】
請求項７に記載の風力発電装置用のブレード保護方法において、前記熱収縮フィルムは微細な貫通孔が不規則に設けられた該熱収縮フィルムから構成されたことを特徴とする風力発電装置用のブレード保護方法。
【請求項９】
請求項１乃至８のいずれかに記載の風力発電装置用のブレード保護方法において、前記熱収縮フィルムが前記ブレード外表面のうち少なくとも一部を被覆することを特徴とする風力発電装置用のブレード保護方法。
【請求項１０】
請求項１乃至８のいずれかに記載の風力発電装置用のブレード保護方法において、略円筒状に成形した前記熱収縮フィルムを、前記ブレードと該ブレードの外表面に配置した前記導通層とを包含するように配置し、前記熱収縮フィルムを収縮付着することによって、前記ブレードと前記導電層とを一体的に被覆することを特徴とする風力発電装置用のブレード保護方法。
【請求項１１】
請求項１乃至８のいずれかに記載の風力発電装置用のブレード保護方法において、帯状に成形加工された前記熱収縮フィルムを前記ブレードと前記導電層の上に順次貼り合わせ、前記熱収縮フィルムをその幅方向端面同士がフィルム重なり面で重なるように貼り合わせることを特徴とする風力発電装置用のブレード保護方法。
【請求項１２】
請求項１乃至８のいずれかに記載の風力発電装置用のブレード保護方法において、加熱装置によって前記熱収縮フィルムを加熱し、前記ブレードに収縮付着させたことを特徴とする風力発電装置用のブレード保護方法。
【請求項１３】
請求項１乃至１２のいずれか１つに記載の風力発電装置用のブレード保護方法を用いて制作されたことを特徴とする風力発電装置用のブレード。
【請求項１４】
請求項１３に記載の風力発電装置用のブレードを備えることを特徴とする風力発電装置。
【発明の詳細な説明】
【技術分野】
【０００１】
本発明は、風力発電装置のブレード保護方法、及びこれにより保護されたブレード、およびかかるブレードを用いた風力発電装置に関する。
【背景技術】
【０００２】
風力発電装置用の翼（以下、ブレードと記す）は、風を受けることによって回転し、その回転エネルギーを電気に変換する。風を受けて効率的に回転するためには、ブレードを軽量化して慣性力を低減することが重要である。また、風力発電装置のブレードは全長が６０ｍを超えるものもあるため、ブレードの軽量化は、装置本体の小型化および軽量化につながる。さらに、ブレードが風から受ける力を効率的に回転運動に変換するため、ブレードの断面形状設計及びその形状の維持、表面の平滑性とその維持が求められる。【０００３】
ブレードを構成する部材としては、従来はアルミニウム合金などの軽量な金属材料が用いられてきたが、近年では、さらなる軽量化の要求から、高強度かつ高剛性である繊維強化樹脂複合材（以下、ＦＲＰと記す）が用いられることが多い。特に、大型風力発電装置の場合、ＦＲＰ製ブレードが主流となっている。【０００４】
このような風力発電装置は、一度設置されると継続的に使用され続け、１年から２年毎に定期的に点検される程度である。一方、風力発電装置は強い風が長時間吹き続ける場所に設置されるのが一般的であり、周辺に高い建築物や木などがない海岸線に設置されることが多く、さらに発電効率を上げるため、海岸から離れた洋上での大型風力発電装置の建設数が増加している。このような海岸付近あるいは洋上では、太陽光による紫外線、風雨に加え、塩水の影響を受けたり、雹や鳥が衝突したりすることがある。また、ブレード長尺化にともない、落雷による損傷といった不具合も生じる。このほかにも、過酷な気候の土地に設置されることが多い。例えば、砂漠などでは、気温の寒暖の差が激しく強い太陽光を浴び砂嵐の影響を受けることもあり、火山地帯では腐食性ガスや火山灰の影響を受けることもある。【０００５】
以上のようにブレードは厳しい環境下にさらされるため、長期間の使用により、損傷、変形、表面汚染、表面剥離といった不具合が起こる。このような不具合が生じると、外観不良により電力への変換効率が低下する。また、このような不具合を修復するためには、ブレードを取り外し、地上に下ろした状態で補修作業を行う必要があり、この間風力発電装置は発電することができない。そのため、補修は短時間で行わなければならない。【０００６】
ブレード保護に関する背景技術として、特許文献１には、風力発電用ブレードの寿命を延長でき、かつ補修が容易な手段として、風力発電用ブレードの表面に、ブレードを保護するブレード用保護フィルムを貼付する方法が記載されている。この方法は、粘着剤層を備えたフィルム状のシートをブレード表面に貼付することにより、ブレードの外観維持や汚染防止による寿命を延長しようとするものである。このような粘着剤層を備えた保護フィルムは、ＦＲＰ製ブレード表面部の汚染や損傷には一定の効果が得られる。【０００７】
また、特許文献２には、風力発電機のブレード表面に、耐候性に優れ、かつ滑雪氷性と汚染除去性に優れた塗膜を形成できる表面塗布用塗料組成物による保護方法が記載されている。
【先行技術文献】
【特許文献】
【０００８】
【特許文献１】特開２０１１−５２６８３号公報
【特許文献２】特開２０１１−２１９６５３号公報
【発明の概要】
【発明が解決しようとする課題】
【０００９】
しかしながら、特許文献１においては、保護フィルムを貼り替える際に人力で保護フィルムをブレードから剥がすことが容易でなく、さらに粘着力を上げるためにブレードの表面処理が必要となり多大なメンテナンス作業時間が必要となる。また、ＦＲＰ製ブレード、フィルム状シート、および粘着剤層は熱膨張係数差があるため、温度変動により粘着剤層に繰り返しせん断力が発生し、保護フィルムの粘着力が低下する。さらに、ブレード表面と粘着剤層との間に異物が入り込むと局所的に粘着強度が低下し、風荷重や温度荷重の繰り返し作用により早期に保護フィルムがはく離する。【００１０】
また、特許文献２において、ブレードの塗装作業は、ブレードの大型化に伴い飛躍的に塗装時間と乾燥時間が増加する。また、補修時においても多大な塗装時間を要し、その間発電装置を稼働させることができない。【００１１】
本発明は、風力発電装置用のブレードに、保護フィルムの着脱が容易でありかつ耐雷性、耐候性、耐雪氷性等の付加機能を付与できる風力発電装置用のブレード保護方法を提供することを目的とする。【００１２】
また、本発明は、保護フィルムの着脱が容易であり、耐雷性、耐候性、耐雪氷性を有する風力発電装置用のブレードおよびこれを用いた風力発電装置を提供することを目的とする。
【課題を解決するための手段】
【００１３】
本発明は、風力発電装置用のブレードと、ブレードを被覆する耐候性を持つ熱収縮フィルムと、ブレード外表面とフィルムとの間に設けた少なくとも１層の機能性層とを備え、熱収縮フィルムを加熱してブレードに収縮付着することによって、ブレードと前記機能性層とを熱収縮フィルムにより一体的に被覆することを特徴とする。
【発明の効果】
【００１４】
本発明の風力発電装置用ブレードの保護方法は、風力発電装置用のブレードと、ブレードを被覆する耐候性を持つ熱収縮フィルムと、ブレード外表面と熱収縮フィルムとの間に設けた少なくとも１層の機能性層とを備え、熱収縮フィルムを加熱してブレードに収縮付着することによって、ブレードと機能性層とを熱収縮フィルムにより一体的に被覆することにより、熱収縮フィルムからなる保護フィルムのブレードへの着脱が容易でありメンテナンス性に優れ、ブレードに耐雷性、耐候性、耐雪氷性等の付加機能を容易に付与することができる。また、本発明の風力発電装置用ブレードは、メンテナンス性に優れ、容易に耐雷性、耐候性、耐雪氷性を得ることができる。【００１５】
さらに、本発明の保護方法によれば、保護フィルムのブレードへの着脱が容易であり、耐雷性、耐候性、耐雪氷性に優れる風力発電装置用のブレードを製造することができる。
【図面の簡単な説明】
【００１６】
【図１】本発明の風力発電装置を示す模式図。
【図２Ａ】本発明の実施例１の風力発電装置用ブレードを示す斜視図。
【図２Ｂ】図２ＡにおけるＡ−Ａ’部分断面図。
【図３】本発明の実施例２の風力発電装置用ブレードを示す部分断面図。
【図４】本発明の実施例３のブレードの一部分を示す斜視図。
【図５】本発明の実施例４の風力発電装置用ブレードを示す部分断面図。
【図６】本発明の実施例５の風力発電装置用ブレードを示す部分断面図。
【発明を実施するための形態】
【００１７】
以下、本発明の複数の実施例を複数の図を用いて説明する。図１は、本発明の風力発電装置を示す模式図である。図１において、風力発電装置ＷＰのブレード１は回転軸１２に取付けられ、ナセル１３内の図示しない発電装置により発電を行う。１４はナセル１３を支持するタワーである。
【実施例１】
【００１８】
図２Ａは本発明の実施例１に係る風力発電装置用のブレード１を示す斜視図である。図２Ｂは、図２ＡにおけるＡ−Ａ’部分断面図である。ブレード１のブレード表面層２は、図２Ｂに示すように、ブレード基材１０と、機能性層としての第１導電層３Ａと、熱収縮フィルム４から構成されている。本発明に係るブレードとして、風力発電機に通常使用されるブレードを使用することができる。ブレード基材１０としては、高強度かつ高剛性であるＦＲＰが用いられることが多い。特に、大型風力発電装置の場合には、ＦＲＰ製ブレードが主流となっている。【００１９】
ブレード基材１０は、ポリエステル樹脂やエポキシ樹脂を用いたハンドレイアップ法、樹脂含浸法、真空含浸法、オートクレーブ法等によって製造される。【００２０】
ブレード１は、熱収縮性をもつ保護フィルムである熱収縮フィルム４によって保護される。本発明においてフィルムという場合にはシートを包含する。したがって、フィルムとは、長尺形態、長尺品を巻き取ったロール形態、枝葉形態、厚いフィルム、薄いフィルムを含む広い概念である。【００２１】
保護フィルムとして熱収縮フィルムを使用する場合は、ブレード１への装着は、熱収縮フィルム４をブレード基材１０外周に装着して、加熱装置により均一に加熱することにより、容易に固定することができる。【００２２】
また、熱収縮フィルム４の劣化時にこれを交換する際は、任意の方法でブレード基材１０を傷つけないように熱収縮フィルム４を切断すれば、容易に熱収縮フィルム４を交換することができる。従って、従来の保護フィルム貼付方法と比較して、熱収縮フィルム４交換時の作業工数を大幅に低減することができる。【００２３】
熱収縮フィルム４に用いられる材料としては、特段の制限はなく、目的に応じて適宜選択することができ、例えば、ポリオレフィン類（例えば、低密度ポリエチレン、高密度ポリエチレン、ポリプロピレンなど）、ポリアミド類（ＰＡ）（例えば、ナイロン−６など）、ポリアセタール類（ＰＯＭ）、ポリエステル類（例えば、ＰＥＴ、ＰＥＮ、ＰＴＴ、ＰＢＴ、ＰＰＴ、ＰＨＴ、ＰＢＮ、ＰＥＳ、ＰＢＳなど）、シンジオタクチック・ポリスチレン（ＳＰＳ）、ポリフェニレンサルファイド類（ＰＰＳ）、ポリエーテルエーテルケトン類（ＰＥＥＫ）、液晶ポリマー類（ＬＣＰ）、フッ素樹脂、アイソタクティックポリプロピレン(ｉｓｏＰＰ)などが挙げられる。その中でも、耐久性、強度、製造およびコストの観点から、ポリオレフィン類、ポリエステル類、シンジオタクチック・ポリスチレン（ＳＰＳ）、液晶ポリマー類（ＬＣＰ）が好ましく、ポリオレフィン類、ポリエステル類がより好ましい。【００２４】
これらのうち、２種以上のポリマーをブレンドしたり、共重合させたりして使用してもよい。また、熱収縮フィルム４は単一層の状態で用いてもよく、また、それぞれ機能が異なる２種類以上の熱収縮フィルムを共押し出し加工したものを用いることもできる。また、別々に押し出し加工した熱収縮フィルムを積層することもできる。【００２５】
ブレード基材１０を構成する樹脂材料は、紫外線により劣化することが知られている。ブレード基材１０を紫外線から保護するため、熱収縮フィルム４に耐候性を付与したり、着色したりすることによって遮光機能を付加することができる。また、種々の着色を施すことにより、装飾効果も付与することが可能であり、その交換も容易である。熱収縮フィルムに遮光性を付与する技術として、例えば、紫外線吸収剤を含む熱収縮フィルム４に酸化チタンを含有する遮光性材料を積層する方法がある。【００２６】
熱収縮フィルム４はブレード基材１０に熱収縮により固定されている。従って、従来の貼付方法と比較して、中間に介在物が存在しても両者の固着力には殆ど影響を与えない。【００２７】
従って、この特徴を利用して収縮フィルム４とブレード基材１０の間に各種の機能を有する機能性層を積極的に付加することができる。【００２８】
ブレード基材１０と熱収縮フィルム４の間に配置する機能性層には、種々の機能を与えることが可能である。ブレードの落雷対策としてブレード先端に備えた金属材をライトニングレセプターとして、ブレード内部から風車本体に沿わせた電線で地絡させる技術があるが、風車の大型化に伴う電線延長による重量増や、洋上での風車建設により地絡が容易ではなくなるという課題がある。そのため、ブレードの耐雷性を向上させるため、ブレード表面に所定の導電部材を作りこむ必要があるが、ＦＲＰからなるブレード本体を追加工することは容易ではなく、また、それに伴う変更や補修も容易ではない。【００２９】
これに対し金属メッシュからなる第１導電層３Ａを用い、ブレード基材１０と熱収縮フィルム４との間に配置し、熱収縮フィルム４を収縮付着せしめて一体に被覆することで、耐雷性を有するブレード１を少ない作業量で作製することができる。金属メッシュは、航空機の耐雷材シートとして用いられるようなものであれば特に限定されることはなく、銅、黄銅、アルミニウム、ニッケル、スチール、ステンレススチール等からなる金属線をメッシュ状にしたものが挙げられる。このような形態をとることで、ブレード１が被雷した際、金属メッシュが溶融するためブレード１から大気中に放電させることができる。【００３０】
また、寒冷地に設置された風力発電装置においては、雪や氷がブレード１に付着し、風の抵抗値の増加により風車効率や発電効率が低下するという問題がある。このような雪氷付着を防ぐ手段として、ブレード１にヒーターなどの発熱体を組み込む手法が効果的であるが、部品の追加工や据付けとなどの作業量が多大となる。【００３１】
この場合、実施例１の応用例として、第１導電層３Ａの金属メッシュ層に発熱線を組み込み、ブレード基材１０と熱収縮フィルム４との間に配置して一体に被覆することで、ブレード１の追加工を施すことなく雪氷付着を防止することができる。【００３２】
また、風力発電装置の稼働時、および停止時には、雹、小石、および鳥等がブレード１に衝突することがあり、ブレード１の表面にき裂が生じたり、ブレード基材１０２が層間はく離を起こしたりすることがある。このような損傷を放置しておくと、風荷重によってブレード１が曲げモーメントを受けたときに、損傷部が圧縮荷重を受けて座屈する可能性がある。【００３３】
このような損傷を検知するために、加速度センサをブレードに貼りつけ運転時のブレードの挙動変化を監視する技術や、光ファイバセンサ、ひずみセンサによりブレードの変形量を検知する技術がある。いずれの技術についても、局所的な変化について検知することができるといえるが、ブレード１のすべてに渡って巨視的に損傷の有無を判断することは容易ではない。【００３４】
これに対して、実施例１の他の応用例として、配線薄膜からなる第１導電層３Ａをブレード外表面における任意の位置に配置し、熱収縮フィルムを収縮付着せしめて一体に被覆することで、巨視的なブレード１の損傷をモニタリングすることができる。すなわち配線薄膜に導通を行い、導通しない場合或いはその抵抗変化により薄膜が断線する程度の損傷がブレードに生じていることを検知することができる。
【実施例２】
【００３５】
図３は、本発明の実施例２を示したものであり、ブレード基材１０と、熱収縮フィルム４との間に、第１導電層３Ａと第２導電層３Ｂが配置される。第１導電層３Ａ、第２導電層３Ｂはそれぞれが異なる機能を持っていてもよく、２種類以上あるいは２層以上設けてもよい。即ち、実施例１に挙げた金属メッシュ、発熱線、配線薄膜等を任意に組み合わせて複合層として形成する事ができる。【００３６】
また、ブレード１全体にわたって第１導電層３Ａ、第２導電層３Ｂを張り巡らせることもできるし、各層を部分的に配置してもよい。これは機能性層が炭層の場合も同様である。【００３７】
このような熱収縮フィルム４と、ブレード基材１０、第１導電層３Ａ、第２導電層３Ｂとは、それぞれが直接接着されていないため、熱膨張係数が各々異なる材料であっても温度変動による膨張、収縮に起因する熱収縮フィルム４と、ブレード基材１０と、第１導電層３Ａ、第２導電層３Ｂの界面におけるはく離の発生を避けることができる。【００３８】
さらに、ブレード基材１０、第１導電層３Ａ、第２導電層３Ｂを傷つけることなく、容易に、かつ完全に分離することができるため、剥離作業にかかる時間を大幅に短縮することができる。
【実施例３】
【００３９】
図４は、本発明の実施例３を示したものであり、ブレード基材１０と、ブレード基材１０上に配置した第１導電層３Ａとが、適当な間隔でシン目５を設けた熱収縮フィルム３４によって一体に被覆されている。ミシン目５で囲まれる熱収縮フィルム３４の単位領域は、例えば任意のサイズの正方形、または短冊形に形成する事ができ、この単位毎に交換することができる。【００４０】
本実施例の効果としては、汚染または損傷を受けた部分のみの熱収縮フィルム４をミシン目５に沿って部分的に剥離し新しいリペア用の熱収縮フィルム４と貼り替えるだけでよいため、設置現場でもブレードの補修が容易となる。リペア用の熱収縮フィルム４は、剥離領域をカバーするほぼ円筒形熱収縮フィルム４をブレード基材１０に被せて、熱収縮により固定する。またリペア用の熱収縮フィルム４を接着剤で接合しても良い。
【実施例４】
【００４１】
図５は、本発明の実施例４を示したものであり、ブレード表面層２は、ブレード基材１０と、第１導電層３Ａと、熱収縮フィルムの厚さ方向に対して微細貫通孔６をランダムに設けた熱収縮フィルム４４を少なくとも２層以上重ねて、ブレード基材１０に収縮付着せしめた構成をとる。微細貫通孔６はまた、実施例３に示すミシン目で構成しても良い。【００４２】
実施例４の効果としては、ブレード基材１０、もしくはブレード基材１０に配置した第１導電層３Ａと、熱収縮フィルム４４との間に含まれた気泡を効果的に除去することができ、ブレード完成時における保護フィルム施工作業や、補修における貼り替え作業時における貼り直し作業を回避することができる。また、このような微細貫通穴６を連続的に設けた場合には、これをミシン目としても利用することができ、貼り替えにおけるはく離作業が簡便となる。【００４３】
本発明において、ブレード１を包装する熱収縮フィルム４４の形態は、特に限定されない。大型のブレードへの貼付作業に工数をかけることなく、かつ平滑に貼り合わせる貼付方法に応じて、種々の形態で提供される。例えば、筒状、もしくは袋状、もしくは細長の帯状の保護フィルムを巻き付けたロール状で提供することができる。このような熱収縮フィルムを用いた包装手段として、例えば、筒状、もしくは袋状、もしくは細長帯状の保護フィルムを用いて、若干の余裕を持たせて予備的にブレード基材１０を包装した後、熱風、もしくはスチーム等の加熱装置によって、熱収縮フィルム４をブレード基材１０、もしくはブレード基材１０に配置した第１導電層３Ａと一体に収縮付着させる方法がある。
【実施例５】
【００４４】
図６は、本発明の実施例５を示したものであり、ブレード表面層２は、ブレード基材１０と、第１導電層３Ａと、細長帯状の熱収縮フィルム５４とから構成され、熱収縮フィルム５４がブレード基材１０の外周に巻き付けられて、隣り合う帯状の熱収縮フィルム５４の端面同士がフィルム重なり面８で重なる構成をとる。【００４５】
この場合は、熱収縮フィルム５４は、細長帯状をなしており、熱収縮フィルムの製造およびブレードへの施工が容易であるという効果を有する。
【産業上の利用可能性】
【００４６】
本発明に係る保護方法は、風力発電装置用ブレードに好適であるが、風力発電装置用ナセルカバー、スピナーカバーなどにも応用することができ、その応用範囲がこれらに限定されるものではない。
【符号の説明】
【００４７】
１            ブレード
２            ブレード表面層
３Ａ            第１導電層
３Ｂ            第２導電層
４、３４、４４、５４    熱収縮フィルム
５            ミシン目
６            微細貫通孔
８            フィルム重なり面
１０            ブレード基材
【図１】
2014033832.tif 000003
【図２Ａ】
2014033832.tif 000004
【図２Ｂ】
2014033832.tif 000005
【図３】
2014033832.tif 000006
【図４】
2014033832.tif 000007
【図５】
2014033832.tif 000008
【図６】
2014033832.tif 000009
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
風力発電装置用のブレードと、該ブレードを被覆する耐候性を持つ熱収縮フィルムと、該ブレード外表面と該熱収縮フィルムとの間に設けた少なくとも１層の機能性層とを備え、
前記熱収縮フィルムを加熱して前記ブレードに収縮付着することによって、前記ブレードと前記機能性層とを前記熱収縮フィルムにより一体的に被覆し、
前記熱収縮フィルムに該熱収縮フィルムを部分的に前記ブレードから剥離するミシン目を任意の間隔で設けたことを特徴とする風力発電装置用のブレード保護方法。
【請求項２】
風力発電装置用のブレードと、該ブレードを被覆する耐候性を持つ少なくとも２層からなる熱収縮フィルムと、該ブレード外表面と該熱収縮フィルムとの間に設けた少なくとも１層の機能性層とを備え、
前記熱収縮フィルムを加熱して前記ブレードに収縮付着することによって、前記ブレードと前記機能性層とを前記熱収縮フィルムにより一体的に被覆し、
前記熱収縮フィルムは微細な貫通孔が不規則に設けられた該熱収縮フィルムから構成したことを特徴とする風力発電装置用のブレード保護方法。
【請求項３】
請求項１または２に記載の風力発電装置用のブレード保護方法において、前記機能性層が導電層からなることを特徴とする風力発電装置用のブレード保護方法。
【請求項４】
請求項３に記載の風力発電装置用のブレード保護方法において、前記導電層が金属メッシュ層からなることを特徴とする風力発電装置用のブレード保護方法。
【請求項５】
請求項３に記載の風力発電装置用のブレード保護方法において、前記導電層が発熱線を有することを特徴とする風力発電装置用のブレード保護方法。
【請求項６】
請求項３に記載の風力発電装置用のブレード保護方法において、前記導電層が配線薄膜からなることを特徴とする風力発電装置用のブレード保護方法。
【請求項７】
請求項１乃至６のいずれか一項に記載の風力発電装置用のブレード保護方法において、前記熱収縮フィルムが前記ブレード外表面のうち少なくとも一部を被覆することを特徴とする風力発電装置用のブレード保護方法。
【請求項８】
請求項１乃至６のいずれか一項に記載の風力発電装置用のブレード保護方法において、略円筒状に成形した前記熱収縮フィルムを、前記ブレードと該ブレードの外表面に配置した前記導通層とを包含するように配置し、前記熱収縮フィルムを収縮付着することによって、前記ブレードと前記導電層とを一体的に被覆することを特徴とする風力発電装置用のブレード保護方法。
【請求項９】
請求項１乃至６のいずれか一項に記載の風力発電装置用のブレード保護方法において、帯状に成形加工された前記熱収縮フィルムを前記ブレードと前記機能性層の上に順次貼り合わせ、前記熱収縮フィルムをその幅方向端面同士がフィルム重なり面で重なるように貼り合わせることを特徴とする風力発電装置用のブレード保護方法。
【請求項１０】
請求項１乃至６のいずれかに記載の風力発電装置用のブレード保護方法において、加熱装置によって前記熱収縮フィルムを加熱し、前記ブレードに収縮付着させたことを特徴とする風力発電装置用のブレード保護方法。
【手続補正２】
【補正対象書類名】明細書
【補正対象項目名】全文
【補正方法】変更
【補正の内容】
【発明の詳細な説明】
【技術分野】
【０００１】
本発明は、風力発電装置用のブレード保護方法に関する。
【背景技術】
【０００２】
風力発電装置用の翼（以下、ブレードと記す）は、風を受けることによって回転し、その回転エネルギーを電気に変換する。風を受けて効率的に回転するためには、ブレードを軽量化して慣性力を低減することが重要である。また、風力発電装置のブレードは全長が６０ｍを超えるものもあるため、ブレードの軽量化は、装置本体の小型化および軽量化につながる。さらに、ブレードが風から受ける力を効率的に回転運動に変換するため、ブレードの断面形状設計及びその形状の維持、表面の平滑性とその維持が求められる。
【０００３】
ブレードを構成する部材としては、従来はアルミニウム合金などの軽量な金属材料が用いられてきたが、近年では、さらなる軽量化の要求から、高強度かつ高剛性である繊維強化樹脂複合材（以下、ＦＲＰと記す）が用いられることが多い。特に、大型風力発電装置の場合、ＦＲＰ製ブレードが主流となっている。
【０００４】
このような風力発電装置は、一度設置されると継続的に使用され続け、１年から２年毎に定期的に点検される程度である。一方、風力発電装置は強い風が長時間吹き続ける場所に設置されるのが一般的であり、周辺に高い建築物や木などがない海岸線に設置されることが多く、さらに発電効率を上げるため、海岸から離れた洋上での大型風力発電装置の建設数が増加している。このような海岸付近あるいは洋上では、太陽光による紫外線、風雨に加え、塩水の影響を受けたり、雹や鳥が衝突したりすることがある。また、ブレード長尺化にともない、落雷による損傷といった不具合も生じる。このほかにも、過酷な気候の土地に設置されることが多い。例えば、砂漠などでは、気温の寒暖の差が激しく強い太陽光を浴び砂嵐の影響を受けることもあり、火山地帯では腐食性ガスや火山灰の影響を受けることもある。
【０００５】
以上のようにブレードは厳しい環境下にさらされるため、長期間の使用により、損傷、変形、表面汚染、表面剥離といった不具合が起こる。このような不具合が生じると、外観不良により電力への変換効率が低下する。また、このような不具合を修復するためには、ブレードを取り外し、地上に下ろした状態で補修作業を行う必要があり、この間風力発電装置は発電することができない。そのため、補修は短時間で行わなければならない。
【０００６】
ブレード保護に関する背景技術として、特許文献１には、風力発電用ブレードの寿命を延長でき、かつ補修が容易な手段として、風力発電用ブレードの表面に、ブレードを保護するブレード用保護フィルムを貼付する方法が記載されている。この方法は、粘着剤層を備えたフィルム状のシートをブレード表面に貼付することにより、ブレードの外観維持や汚染防止による寿命を延長しようとするものである。このような粘着剤層を備えた保護フィルムは、ＦＲＰ製ブレード表面部の汚染や損傷には一定の効果が得られる。
【０００７】
また、特許文献２には、風力発電機のブレード表面に、耐候性に優れ、かつ滑雪氷性と汚染除去性に優れた塗膜を形成できる表面塗布用塗料組成物による保護方法が記載されている。
【先行技術文献】
【特許文献】
【０００８】
【特許文献１】特開２０１１−５２６８３号公報
【特許文献２】特開２０１１−２１９６５３号公報
【発明の概要】
【発明が解決しようとする課題】
【０００９】
しかしながら、特許文献１においては、保護フィルムを貼り替える際に人力で保護フィルムをブレードから剥がすことが容易でなく、さらに粘着力を上げるためにブレードの表面処理が必要となり多大なメンテナンス作業時間が必要となる。また、ＦＲＰ製ブレード、フィルム状シート、および粘着剤層は熱膨張係数差があるため、温度変動により粘着剤層に繰り返しせん断力が発生し、保護フィルムの粘着力が低下する。さらに、ブレード表面と粘着剤層との間に異物が入り込むと局所的に粘着強度が低下し、風荷重や温度荷重の繰り返し作用により早期に保護フィルムがはく離する。
【００１０】
また、特許文献２において、ブレードの塗装作業は、ブレードの大型化に伴い飛躍的に塗装時間と乾燥時間が増加する。また、補修時においても多大な塗装時間を要し、その間発電装置を稼働させることができない。
【００１１】
本発明は、風力発電装置用のブレードに、保護フィルムの着脱が容易でありかつ耐雷性、耐候性、耐雪氷性等の付加機能を付与できる風力発電装置用のブレード保護方法を提供することを目的とする。
【００１２】
また、本発明は、保護フィルムの着脱が容易であり、耐雷性、耐候性、耐雪氷性を有する風力発電装置用のブレードおよびこれを用いた風力発電装置を提供することを目的とする。
【課題を解決するための手段】
【００１３】
本発明は、風力発電装置用のブレードと、ブレードを被覆する耐候性を持つ熱収縮フィルムと、ブレード外表面と熱収縮フィルムとの間に設けた少なくとも１層の機能性層とを備え、熱収縮フィルムを加熱してブレードに収縮付着することによって、ブレードと機能性層とを熱収縮フィルムにより一体的に被覆し、熱収縮フィルムに該熱収縮フィルムを部分的にブレードから剥離するミシン目を任意の間隔で設けたことを特徴とする。  
また、本発明は、風力発電装置用のブレードと、ブレードを被覆する耐候性を持つ少なくとも２層からなる熱収縮フィルムと、ブレード外表面と該熱収縮フィルムとの間に設けた少なくとも１層の機能性層とを備え、熱収縮フィルムを加熱してブレードに収縮付着することによって、ブレードと機能性層とを熱収縮フィルムにより一体的に被覆し、熱収縮フィルムは微細な貫通孔が不規則に設けられた該熱収縮フィルムから構成したことを特徴とする。
【発明の効果】
【００１４】
本発明の風力発電装置用ブレードの保護方法は、風力発電装置用のブレードと、ブレードを被覆する耐候性を持つ熱収縮フィルムと、ブレード外表面と熱収縮フィルムとの間に設けた少なくとも１層の機能性層とを備え、熱収縮フィルムを加熱してブレードに収縮付着することによって、ブレードと機能性層とを熱収縮フィルムにより一体的に被覆することにより、熱収縮フィルムからなる保護フィルムのブレードへの着脱が容易でありメンテナンス性に優れ、ブレードに耐雷性、耐候性、耐雪氷性等の付加機能を容易に付与することができる。
【００１５】
さらに、本発明の保護方法によれば、保護フィルムのブレードへの着脱が容易であり、耐雷性、耐候性、耐雪氷性に優れる風力発電装置用のブレードを製造することができる。
【図面の簡単な説明】
【００１６】
【図１】本発明のブレード保護方法が適用される風力発電装置を示す模式図。
【図２Ａ】本発明の参考例１のブレード保護方法が適用された風力発電装置用ブレードを示す斜視図。
【図２Ｂ】図２ＡにおけるＡ−Ａ’部分断面図。
【図３】本発明の参考例２のブレード保護方法が適用された風力発電装置用ブレードを示す部分断面図。
【図４】本発明の実施例１のブレード保護方法が適用されたブレードの一部分を示す斜視図。
【図５】本発明の実施例２のブレード保護方法が適用された風力発電装置用ブレードを示す部分断面図。
【図６】本発明の実施例３のブレード保護方法が適用された風力発電装置用ブレードを示す部分断面図。
【発明を実施するための形態】
【００１７】
以下、本発明の複数の実施例を複数の図を用いて説明する。図１は、本発明のブレード保護方法が適用される風力発電装置を示す模式図である。図１において、風力発電装置ＷＰのブレード１は回転軸１２に取付けられ、ナセル１３内の図示しない発電装置により発電を行う。１４はナセル１３を支持するタワーである。
（参考例１）
【００１８】
図２Ａは本発明の前提となる参考例１に係るブレード保護方法が適用された風力発電装置用のブレード１を示す斜視図である。図２Ｂは、図２ＡにおけるＡ−Ａ’部分断面図である。ブレード１のブレード表面層２は、図２Ｂに示すように、ブレード基材１０と、機能性層としての第１導電層３Ａと、熱収縮フィルム４から構成されている。本発明のブレード保護方法が適用されるブレードとして、風力発電機に通常使用されるブレードを使用することができる。ブレード基材１０としては、高強度かつ高剛性であるＦＲＰが用いられることが多い。特に、大型風力発電装置の場合には、ＦＲＰ製ブレードが主流となっている。
【００１９】
ブレード基材１０は、ポリエステル樹脂やエポキシ樹脂を用いたハンドレイアップ法、樹脂含浸法、真空含浸法、オートクレーブ法等によって製造される。
【００２０】
ブレード１は、熱収縮性をもつ保護フィルムである熱収縮フィルム４によって保護される。本発明においてフィルムという場合にはシートを包含する。したがって、フィルムとは、長尺形態、長尺品を巻き取ったロール形態、枝葉形態、厚いフィルム、薄いフィルムを含む広い概念である。
【００２１】
保護フィルムとして熱収縮フィルムを使用する場合は、ブレード１への装着は、熱収縮フィルム４をブレード基材１０外周に装着して、加熱装置により均一に加熱することにより、容易に固定することができる。
【００２２】
また、熱収縮フィルム４の劣化時にこれを交換する際は、任意の方法でブレード基材１０を傷つけないように熱収縮フィルム４を切断すれば、容易に熱収縮フィルム４を交換することができる。従って、従来の保護フィルム貼付方法と比較して、熱収縮フィルム４交換時の作業工数を大幅に低減することができる。
【００２３】
熱収縮フィルム４に用いられる材料としては、特段の制限はなく、目的に応じて適宜選択することができ、例えば、ポリオレフィン類（例えば、低密度ポリエチレン、高密度ポリエチレン、ポリプロピレンなど）、ポリアミド類（ＰＡ）（例えば、ナイロン−６など）、ポリアセタール類（ＰＯＭ）、ポリエステル類（例えば、ＰＥＴ、ＰＥＮ、ＰＴＴ、ＰＢＴ、ＰＰＴ、ＰＨＴ、ＰＢＮ、ＰＥＳ、ＰＢＳなど）、シンジオタクチック・ポリスチレン（ＳＰＳ）、ポリフェニレンサルファイド類（ＰＰＳ）、ポリエーテルエーテルケトン類（ＰＥＥＫ）、液晶ポリマー類（ＬＣＰ）、フッ素樹脂、アイソタクティックポリプロピレン(ｉｓｏＰＰ)などが挙げられる。その中でも、耐久性、強度、製造およびコストの観点から、ポリオレフィン類、ポリエステル類、シンジオタクチック・ポリスチレン（ＳＰＳ）、液晶ポリマー類（ＬＣＰ）が好ましく、ポリオレフィン類、ポリエステル類がより好ましい。
【００２４】
これらのうち、２種以上のポリマーをブレンドしたり、共重合させたりして使用してもよい。また、熱収縮フィルム４は単一層の状態で用いてもよく、また、それぞれ機能が異なる２種類以上の熱収縮フィルムを共押し出し加工したものを用いることもできる。また、別々に押し出し加工した熱収縮フィルムを積層することもできる。
【００２５】
ブレード基材１０を構成する樹脂材料は、紫外線により劣化することが知られている。ブレード基材１０を紫外線から保護するため、熱収縮フィルム４に耐候性を付与したり、着色したりすることによって遮光機能を付加することができる。また、種々の着色を施すことにより、装飾効果も付与することが可能であり、その交換も容易である。熱収縮フィルムに遮光性を付与する技術として、例えば、紫外線吸収剤を含む熱収縮フィルム４に酸化チタンを含有する遮光性材料を積層する方法がある。
【００２６】
熱収縮フィルム４はブレード基材１０に熱収縮により固定されている。従って、従来の貼付方法と比較して、中間に介在物が存在しても両者の固着力には殆ど影響を与えない。
【００２７】
従って、この特徴を利用して収縮フィルム４とブレード基材１０の間に各種の機能を有する機能性層を積極的に付加することができる。
【００２８】
ブレード基材１０と熱収縮フィルム４の間に配置する機能性層には、種々の機能を与えることが可能である。ブレードの落雷対策としてブレード先端に備えた金属材をライトニングレセプターとして、ブレード内部から風車本体に沿わせた電線で地絡させる技術があるが、風車の大型化に伴う電線延長による重量増や、洋上での風車建設により地絡が容易ではなくなるという課題がある。そのため、ブレードの耐雷性を向上させるため、ブレード表面に所定の導電部材を作りこむ必要があるが、ＦＲＰからなるブレード本体を追加工することは容易ではなく、また、それに伴う変更や補修も容易ではない。
【００２９】
これに対し金属メッシュからなる第１導電層３Ａを用い、ブレード基材１０と熱収縮フィルム４との間に配置し、熱収縮フィルム４を収縮付着せしめて一体に被覆することで、耐雷性を有するブレード１を少ない作業量で作製することができる。金属メッシュは、航空機の耐雷材シートとして用いられるようなものであれば特に限定されることはなく、銅、黄銅、アルミニウム、ニッケル、スチール、ステンレススチール等からなる金属線をメッシュ状にしたものが挙げられる。このような形態をとることで、ブレード１が被雷した際、金属メッシュが溶融するためブレード１から大気中に放電させることができる。
【００３０】
また、寒冷地に設置された風力発電装置においては、雪や氷がブレード１に付着し、風の抵抗値の増加により風車効率や発電効率が低下するという問題がある。このような雪氷付着を防ぐ手段として、ブレード１にヒーターなどの発熱体を組み込む手法が効果的であるが、部品の追加工や据付けとなどの作業量が多大となる。
【００３１】
この場合、参考例１の応用例として、第１導電層３Ａの金属メッシュ層に発熱線を組み込み、ブレード基材１０と熱収縮フィルム４との間に配置して一体に被覆することで、ブレード１の追加工を施すことなく雪氷付着を防止することができる。
【００３２】
また、風力発電装置の稼働時、および停止時には、雹、小石、および鳥等がブレード１に衝突することがあり、ブレード１の表面にき裂が生じたり、ブレード基材１０２が層間はく離を起こしたりすることがある。このような損傷を放置しておくと、風荷重によってブレード１が曲げモーメントを受けたときに、損傷部が圧縮荷重を受けて座屈する可能性がある。
【００３３】
このような損傷を検知するために、加速度センサをブレードに貼りつけ運転時のブレードの挙動変化を監視する技術や、光ファイバセンサ、ひずみセンサによりブレードの変形量を検知する技術がある。いずれの技術についても、局所的な変化について検知することができるといえるが、ブレード１のすべてに渡って巨視的に損傷の有無を判断することは容易ではない。
【００３４】
これに対して、参考例１の他の応用例として、配線薄膜からなる第１導電層３Ａをブレード外表面における任意の位置に配置し、熱収縮フィルムを収縮付着せしめて一体に被覆することで、巨視的なブレード１の損傷をモニタリングすることができる。すなわち配線薄膜に導通を行い、導通しない場合或いはその抵抗変化により薄膜が断線する程度の損傷がブレードに生じていることを検知することができる。
（参考例２）
【００３５】
図３は、本発明の前提となる参考例２を示したものであり、ブレード基材１０と、熱収縮フィルム４との間に、第１導電層３Ａと第２導電層３Ｂが配置される。第１導電層３Ａ、第２導電層３Ｂはそれぞれが異なる機能を持っていてもよく、２種類以上あるいは２層以上設けてもよい。即ち、参考例１に挙げた金属メッシュ、発熱線、配線薄膜等を任意に組み合わせて複合層として形成する事ができる。
【００３６】
また、ブレード１全体にわたって第１導電層３Ａ、第２導電層３Ｂを張り巡らせることもできるし、各層を部分的に配置してもよい。これは機能性層が単層の場合も同様である。
【００３７】
このような熱収縮フィルム４と、ブレード基材１０、第１導電層３Ａ、第２導電層３Ｂとは、それぞれが直接接着されていないため、熱膨張係数が各々異なる材料であっても温度変動による膨張、収縮に起因する熱収縮フィルム４と、ブレード基材１０と、第１導電層３Ａ、第２導電層３Ｂの界面におけるはく離の発生を避けることができる。
【００３８】
さらに、ブレード基材１０、第１導電層３Ａ、第２導電層３Ｂを傷つけることなく、容易に、かつ完全に分離することができるため、剥離作業にかかる時間を大幅に短縮することができる。
【実施例１】
【００３９】
図４は、本発明の実施例１を示したものであり、参考例１，２と異なる部分について示している。参考例１，２との共通部分についての説明は省略する。ブレード基材１０と、ブレード基材１０上に配置した第１導電層３Ａとが、適当な間隔でミシン目５を設けた熱収縮フィルム３４によって一体に被覆されている。ミシン目５で囲まれる熱収縮フィルム３４の単位領域は、例えば任意のサイズの正方形、または短冊形に形成する事ができ、この単位毎に交換することができる。
【００４０】
本実施例の効果としては、汚染または損傷を受けた部分のみの熱収縮フィルム４をミシン目５に沿って部分的に剥離し新しいリペア用の熱収縮フィルム４と貼り替えるだけでよいため、設置現場でもブレードの補修が容易となる。リペア用の熱収縮フィルム４は、剥離領域をカバーするほぼ円筒形熱収縮フィルム４をブレード基材１０に被せて、熱収縮により固定する。またリペア用の熱収縮フィルム４を接着剤で接合しても良い。
【実施例２】
【００４１】
図５は、本発明の実施例２を示したものであり、参考例１，２と異なる部分について示している。参考例１，２との共通部分についての説明は省略する。ブレード表面層２は、ブレード基材１０と、第１導電層３Ａと、熱収縮フィルムの厚さ方向に対して微細貫通孔６をランダムに設けた熱収縮フィルム４４を少なくとも２層以上重ねて、ブレード基材１０に収縮付着せしめた構成をとる。微細貫通孔６はまた、実施例１に示すミシン目で構成しても良い。
【００４２】
実施例２の効果としては、ブレード基材１０、もしくはブレード基材１０に配置した第１導電層３Ａと、熱収縮フィルム４４との間に含まれた気泡を効果的に除去することができ、ブレード完成時における保護フィルム施工作業や、補修における貼り替え作業時における貼り直し作業を回避することができる。また、このような微細貫通穴６を連続的に設けた場合には、これをミシン目としても利用することができ、貼り替えにおけるはく離作業が簡便となる。
【００４３】
本発明において、ブレード１を包装する熱収縮フィルム４４の形態は、特に限定されない。大型のブレードへの貼付作業に工数をかけることなく、かつ平滑に貼り合わせる貼付方法に応じて、種々の形態で提供される。例えば、筒状、もしくは袋状、もしくは細長の帯状の保護フィルムを巻き付けたロール状で提供することができる。このような熱収縮フィルムを用いた包装手段として、例えば、筒状、もしくは袋状、もしくは細長帯状の保護フィルムを用いて、若干の余裕を持たせて予備的にブレード基材１０を包装した後、熱風、もしくはスチーム等の加熱装置によって、熱収縮フィルム４をブレード基材１０、もしくはブレード基材１０に配置した第１導電層３Ａと一体に収縮付着させる方法がある。
【実施例３】
【００４４】
図６は、本発明の実施例３を示したものである。なお、実施例１，２の特徴の図示は省略している。ブレード表面層２は、ブレード基材１０と、第１導電層３Ａと、細長帯状の熱収縮フィルム５４とから構成され、熱収縮フィルム５４がブレード基材１０の外周に巻き付けられて、隣り合う帯状の熱収縮フィルム５４の端面同士がフィルム重なり面８で重なる構成をとる。
【００４５】
この場合は、熱収縮フィルム５４は、細長帯状をなしており、熱収縮フィルムの製造およびブレードへの施工が容易であるという効果を有する。
【産業上の利用可能性】
【００４６】
本発明に係る保護方法は、風力発電装置用ブレードに好適であるが、風力発電装置用ナセルカバー、スピナーカバーなどにも応用することができ、その応用範囲がこれらに限定されるものではない。
【符号の説明】
【００４７】
１      ブレード
２      ブレード表面層
３Ａ    第１導電層
３Ｂ    第２導電層
４、３４、４４、５４    熱収縮フィルム
５      ミシン目
６      微細貫通孔
８      フィルム重なり面
１０    ブレード基材
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
風力発電装置用のブレードと、該ブレードを被覆する耐候性を持つ熱収縮フィルムと、該ブレード外表面と該熱収縮フィルムとの間に設けた少なくとも１層の機能性層とを備え、
前記熱収縮フィルムを加熱して前記ブレードに収縮付着することによって、前記ブレードと前記機能性層とを前記熱収縮フィルムにより一体的に被覆し、
前記熱収縮フィルムに該熱収縮フィルムを部分的に前記ブレードから剥離するミシン目を任意の間隔で設けたことを特徴とする風力発電装置用のブレード保護方法。
【請求項２】
風力発電装置用のブレードと、該ブレードを被覆する耐候性を持つ少なくとも２層からなる熱収縮フィルムと、該ブレード外表面と該熱収縮フィルムとの間に設けた少なくとも１層の機能性層とを備え、
前記熱収縮フィルムを加熱して前記ブレードに収縮付着することによって、前記ブレードと前記機能性層とを前記熱収縮フィルムにより一体的に被覆し、
前記熱収縮フィルムは微細な貫通孔が不規則に設けられた該熱収縮フィルムから構成したことを特徴とする風力発電装置用のブレード保護方法。
【請求項３】
請求項１または２に記載の風力発電装置用のブレード保護方法において、前記機能性層が導電層からなることを特徴とする風力発電装置用のブレード保護方法。
【請求項４】
請求項３に記載の風力発電装置用のブレード保護方法において、前記導電層が金属メッシュ層からなることを特徴とする風力発電装置用のブレード保護方法。
【請求項５】
請求項３に記載の風力発電装置用のブレード保護方法において、前記導電層が発熱線を有することを特徴とする風力発電装置用のブレード保護方法。
【請求項６】
請求項３に記載の風力発電装置用のブレード保護方法において、前記導電層が配線薄膜からなることを特徴とする風力発電装置用のブレード保護方法。
【請求項７】
請求項１乃至６のいずれか一項に記載の風力発電装置用のブレード保護方法において、前記熱収縮フィルムが前記ブレード外表面のうち少なくとも一部を被覆することを特徴とする風力発電装置用のブレード保護方法。
【請求項８】
請求項１乃至６のいずれか一項に記載の風力発電装置用のブレード保護方法において、略円筒状に成形した前記熱収縮フィルムを、前記ブレードと該ブレードの外表面に配置した前記機能性層とを包含するように配置し、前記熱収縮フィルムを収縮付着することによって、前記ブレードと前記機能性層とを一体的に被覆することを特徴とする風力発電装置用のブレード保護方法。
【請求項９】
請求項１乃至６のいずれか一項に記載の風力発電装置用のブレード保護方法において、帯状に成形加工された前記熱収縮フィルムを前記ブレードと前記機能性層の上に順次貼り合わせ、前記熱収縮フィルムをその幅方向端面同士がフィルム重なり面で重なるように貼り合わせることを特徴とする風力発電装置用のブレード保護方法。
【請求項１０】
請求項１乃至６のいずれかに記載の風力発電装置用のブレード保護方法において、加熱装置によって前記熱収縮フィルムを加熱し、前記ブレードに収縮付着させたことを特徴とする風力発電装置用のブレード保護方法。
【国際調査報告】
2014033832.tif 000010
2014033832.tif 000011
2014033832.tif 000012
2014033832.tif 000013